(57)【特許請求の範囲】
【請求項１】
開口部を有し、回転駆動される回転軸（６）を支持するヨークハウジング（４）と、
前記ヨークハウジング（４）の開口部に対向する開口部（２１ａ）を有し、前記回転軸（６）にクラッチ（３０）を介して連結されるウォーム軸（２３）を回転可能に支持するギヤハウジング（２１）と、
ブラシ（１０）を保持して前記ヨークハウジング（４）及び前記ギヤハウジング（２１）の間に介装されるホルダ本体（９ａ）、並びに該ブラシ（１０）に給電する給電端子（１４）を保持する給電部（９ｂ）が一体的に形成されたブラシホルダ（９）とを備えたモータにおいて、
前記ブラシホルダ（９）のホルダ本体（９ａ）には前記回転軸（６）の先端側を回転可能に支持する軸受（１１）が設けられ、
前記ブラシホルダ（９）における前記ヨークハウジング（４）の開口部及び前記ギヤハウジング（２１）の開口部（２１ａ）との当接部、並びに前記給電端子（１４）の基端側は、連続するシール部材（１７）にて成形され、該シール部材（１７）は、ゴム、エラストマ及び粘性樹脂のいずれか１つにて成形されていることを特徴とするモータ。
【請求項２】
開口部を有し、回転駆動される回転軸（６）を支持するヨークハウジング（４）と、
前記ヨークハウジング（４）の開口部に対向する開口部（２１ａ）を有し、前記回転軸（６）にクラッチ（３０）を介して連結されるウォーム軸（２３）を回転可能に支持するギヤハウジング（２１）と、
ブラシ（１０）を保持して前記ヨークハウジング（４）及び前記ギヤハウジング（２１）の間に介装されるホルダ本体（９ａ）、並びに該ブラシ（１０）に給電する給電端子（１４）を保持する給電部（９ｂ）が一体的に形成されたブラシホルダ（９）とを備えたモータにおいて、
前記ブラシホルダ（９）のホルダ本体（９ａ）には前記回転軸（６）の先端側を回転可能に支持する軸受（１１）が設けられ、
前記ブラシホルダ（９）における前記ヨークハウジング（４）の開口部及び前記ギヤハウジング（２１）の開口部（２１ａ）との当接部、並びに前記給電端子（１４）の基端側は、同一材質のシール部材（１７）にて成形され、該シール部材（１７）は、ゴム、エラストマ及び粘性樹脂のいずれか１つにて成形されていることを特徴とするモータ。
【請求項３】
請求項１又は２に記載のモータにおいて、
前記ブラシホルダ（９）は、該ブラシホルダ（９）の外部形状の基体を形成する樹脂製の外形部（１６）と、前記シール部材（１７）との２色成形にて形成されていることを特徴とするモータ。
【請求項４】
請求項１〜３のいずれか１項に記載のモータにおいて、
前記ブラシホルダ（９）の外部形状の基体を形成する外形部（１６）は、前記ホルダ本体（９ａ）の所定部位に形成され前記シール部材（１７）に埋設される本体側埋設部（１６ａ）と、前記給電部（９ｂ）の所定部位に形成され前記シール部材（１７）に埋設される給電部側埋設部（１６ｂ）とを有していることを特徴とするモータ。
【請求項５】
請求項４に記載のモータにおいて、
前記埋設部（１６ａ，１６ｂ）には、その所定部位に前記シール部材（１７）の抜け出す方向において係合する係合部（１６ｃ，１６ｄ）が形成されていることを特徴とするモータ。
【請求項６】
開口部を有し、回転駆動される回転軸（６）を支持するヨークハウジング（４）と、
前記ヨークハウジング（４）の開口部に対向する開口部（２１ａ）を有し、前記回転軸（６）にクラッチ（３０）を介して連結されるウォーム軸（２３）を回転可能に支持するギヤハウジング（２１）と、
ブラシ（１０）を保持して前記ヨークハウジング（４）及び前記ギヤハウジング（２１）の間に介装されるホルダ本体（９ａ）、並びに該ブラシ（１０）に給電する給電端子（１４）を保持する給電部（９ｂ）が一体的に形成されたブラシホルダ（９）とを備えたモータにおいて、
前記ブラシホルダ（９）のホルダ本体（９ａ）には前記回転軸（６）の先端側を回転可能に支持する軸受（１１）が設けられ、
前記ブラシホルダ（９）における前記ヨークハウジング（４）の開口部及び前記ギヤハウジング（２１）の開口部（２１ａ）との当接部、並びに前記給電端子（１４）の基端部（１４ａ）に対して、それぞれシール部材（１７ａ，１７ｄ）が設けられ、該シール部材（１７ａ，１７ｄ）は、ゴム、エラストマ及び粘性樹脂のいずれか１つにて成形されていることを特徴とするモータ。
【請求項７】
請求項１〜６のいずれか１項に記載のモータにおいて、
前記クラッチ（３０）は、前記回転軸（６）から前記ウォーム軸（２３）に回転を伝達するするとともに、該ウォーム軸（２３）から該回転軸（６）への回転伝達を阻止することを特徴とするモータ。
【発明の詳細な説明】
【０００１】
【発明の属する技術分野】
本発明は、給電部が一体となったブラシホルダを備えるモータに関するものである。
【０００２】
【従来の技術】
従来、給電部（コネクタ部）が一体となったブラシホルダを備えるモータとしては、例えば米国特許番号５４８５０４４号に記載されたものが知られている。このモータが備えるブラシホルダは、ヨークハウジング（アーマチャハウジング）とギヤハウジングとの間に介装されている。そして、外部電源から給電部に電流が供給されると、ブラシ及びコンミテータを介してアーマチャに巻装したコイル導線に電流が供給され、同アーマチャの回転軸が回転駆動される。この回転軸の回転は、ウォーム軸を介してウォームホイール（ギヤ）に伝達される。
【０００３】
なお、上記ブラシホルダには、ヨークハウジング及びギヤハウジングとの各当接部に対応してシール部材が設けられている。従って、このシール部材によって、ヨークハウジング若しくはギヤハウジングの内部への浸水等が防止されている。
【０００４】
【発明が解決しようとする課題】
ところで、このモータにおいては、給電部に対する上記に準じた防水処置が考慮されていない。給電部は、給電端子を保持したインサート成形にて形成されるのが一般的であるため、同給電端子を保持するための型跡によって同給電端子の基端部が外部に露出することとなっている。そして、外部に露出した給電端子の基端部から同給電端子や給電部の内部に浸水することで、例えば給電端子間の短絡等が発生することがある。
【０００５】
本発明の目的は、ヨークハウジング及びギヤハウジングの内部、給電端子や給電部の内部への浸水を防止することができるモータを提供することにある。
【０００６】
【課題を解決するための手段】
上記問題点を解決するために、請求項１に記載の発明は、開口部を有し、回転駆動される回転軸を支持するヨークハウジングと、前記ヨークハウジングの開口部に対向する開口部を有し、前記回転軸にクラッチを介して連結されるウォーム軸を回転可能に支持するギヤハウジングと、ブラシを保持して前記ヨークハウジング及び前記ギヤハウジングの間に介装されるホルダ本体、並びに該ブラシに給電する給電端子を保持する給電部が一体的に形成されたブラシホルダとを備えたモータにおいて、前記ブラシホルダのホルダ本体には前記回転軸の先端側を回転可能に支持する軸受が設けられ、前記ブラシホルダにおける前記ヨークハウジングの開口部及び前記ギヤハウジングの開口部との当接部、並びに前記給電端子の基端側は、連続するシール部材にて成形され、該シール部材は、ゴム、エラストマ及び粘性樹脂のいずれか１つにて成形されていることを要旨とする。
【０００７】
請求項２に記載の発明は、開口部を有し、回転駆動される回転軸を支持するヨークハウジングと、前記ヨークハウジングの開口部に対向する開口部を有し、前記回転軸にクラッチを介して連結されるウォーム軸を回転可能に支持するギヤハウジングと、ブラシを保持して前記ヨークハウジング及び前記ギヤハウジングの間に介装されるホルダ本体、並びに該ブラシに給電する給電端子を保持する給電部が一体的に形成されたブラシホルダとを備えたモータにおいて、前記ブラシホルダのホルダ本体には前記回転軸の先端側を回転可能に支持する軸受が設けられ、前記ブラシホルダにおける前記ヨークハウジングの開口部及び前記ギヤハウジングの開口部との当接部、並びに前記給電端子の基端側は、同一材質のシール部材にて成形され、該シール部材は、ゴム、エラストマ及び粘性樹脂のいずれか１つにて成形されていることを要旨とする。
【０００８】
請求項３に記載の発明は、請求項１又は２に記載のモータにおいて、前記ブラシホルダは、該ブラシホルダの外部形状の基体を形成する樹脂製の外形部と、前記シール部材との２色成形にて形成されていることを要旨とする。
【０００９】
請求項４に記載の発明は、請求項１〜３のいずれか１項に記載のモータにおいて、前記ブラシホルダの外部形状の基体を形成する外形部は、前記ホルダ本体の所定部位に形成され前記シール部材に埋設される本体側埋設部と、前記給電部の所定部位に形成され前記シール部材に埋設される給電部側埋設部とを有していることを要旨とする。
【００１０】
請求項５に記載の発明は、請求項４に記載のモータにおいて、前記埋設部には、その所定部位に前記シール部材の抜け出す方向において係合する係合部が形成されていることを要旨とする。
【００１２】
請求項６に記載の発明は、開口部を有し、回転駆動される回転軸を支持するヨークハウジングと、前記ヨークハウジングの開口部に対向する開口部を有し、前記回転軸にクラッチを介して連結されるウォーム軸を回転可能に支持するギヤハウジングと、ブラシを保持して前記ヨークハウジング及び前記ギヤハウジングの間に介装されるホルダ本体、並びに該ブラシに給電する給電端子を保持する給電部が一体的に形成されたブラシホルダとを備えたモータにおいて、前記ブラシホルダのホルダ本体には前記回転軸の先端側を回転可能に支持する軸受が設けられ、前記ブラシホルダにおける前記ヨークハウジングの開口部及び前記ギヤハウジングの開口部との当接部、並びに前記給電端子の基端部に対して、それぞれシール部材が設けられ、該シール部材は、ゴム、エラストマ及び粘性樹脂のいずれか１つにて成形されていることを要旨とする。
請求項７に記載の発明は、請求項１〜６のいずれか１項に記載のモータにおいて、前記クラッチは、前記回転軸から前記ウォーム軸に回転を伝達するするとともに、該ウォーム軸から該回転軸への回転伝達を阻止することを要旨とする。
【００１３】
（作用）
請求項１に記載の発明によれば、上記ブラシホルダにおけるヨークハウジングの開口部及びギヤハウジングの開口部との当接部、並びに上記給電端子の基端側は、連続するシール部材にて成形されている。従って、上記ブラシホルダのシール部材によって、ヨークハウジングの内部、ギヤハウジングの内部、及び給電端子の基端部から同給電端子や給電部の内部への浸水が防止される。
【００１４】
請求項２に記載の発明によれば、上記ブラシホルダにおけるヨークハウジングの開口部及びギヤハウジングの開口部との当接部、並びに上記給電端子の基端側は、同一材質のシール部材にて成形されている。従って、上記シール部材によって、ヨークハウジングの内部、ギヤハウジングの内部、及び給電端子の基端部から同給電端子や給電部の内部への浸水が防止される。
また、請求項１及び２に記載の発明によれば、ブラシホルダは、ゴム、エラストマ若しくは粘性樹脂製のシール部材を介して上記ヨークハウジング及びギヤハウジング間に設けられるため、モータ作動時の振動が吸収されて低騒音化が図られる。
【００１５】
請求項３に記載の発明によれば、上記シール部材は外形部に対して緊密に形成され、そのシール性が向上される。また、外形部及びシール部材からなるブラシホルダが、２色成形にて一体とされることで、部品点数及び組み付け工数が低減される。
【００１６】
請求項４に記載の発明によれば、ブラシホルダの外部形状の基体を形成する外形部は、ホルダ本体の所定部位と給電部の所定部位に埋設部がそれぞれ設けられ該埋設部がシール部材に埋設されるので、シール部材が外形部から外れ難くなる。又、給電部において外形部からシール部材を外れ難くすることで、給電端子の基端部から同給電端子や給電部の内部への浸水が確実に防止される。
【００１７】
請求項５に記載の発明によれば、埋設部の所定部位に設けた係合部がシール部材の抜け出す方向において係合するので、シール部材が外形部からより外れ難くなる。
【００１９】
請求項６に記載の発明によれば、上記ブラシホルダにおけるヨークハウジングの開口部及びギヤハウジングの開口部との当接部、並びに上記給電端子の基端部に対して、それぞれシール部材が設けられている。従って、上記各シール部材によって、ヨークハウジングの内部、ギヤハウジングの内部、及び給電端子の基端部から同給電端子や給電部の内部への浸水が防止される。また、ブラシホルダは、ゴム、エラストマ若しくは粘性樹脂製のシール部材を介して上記ヨークハウジング及びギヤハウジング間に設けられるため、モータ作動時の振動が吸収されて低騒音化が図られる。
請求項７に記載の発明によれば、回転軸からウォーム軸に回転が伝達され、ウォーム軸から回転軸への回転伝達は阻止される。
【００２０】
【発明の実施の形態】
以下、本発明を具体化した一実施形態について図１及び図２を参照して説明する。
【００２１】
図１に示されるように、モータ１は、モータ本体２と減速部３とを備えている。上記モータ本体２は、ヨークハウジング４、複数のマグネット５、回転軸６、アーマチャ（電機子）７、コンミテータ（整流子）８、ブラシホルダ９及びブラシ１０を備えている。
【００２２】
ヨークハウジング４は、略有底扁平円筒状に形成されている。そして、その内周面には、２つのマグネット５が対向配置に固着されている。また、ヨークハウジング４の底部には、その中心軸に沿って上記回転軸６の基端部が回転可能に支持されている。
【００２３】
上記マグネット５の位置に対応する上記回転軸６の中間部には、前記アーマチャ７が固定されている。また、上記回転軸６の上記アーマチャ７よりも先端側には、コンミテータ８が固定されている。
【００２４】
上記ヨークハウジング４の開口部には、外側に延びるフランジ部４ａが形成され、そのフランジ部４ａの一側及び他側（図１の左右各側）にはそれぞれ貫通孔４ｂ，４ｃが形成されている。
【００２５】
ヨークハウジング４の開口部には、ブラシホルダ９が嵌合固定されている。このブラシホルダ９は、ヨークハウジング４の開口部に対応して同開口部の周縁部を略覆って当接する形状のホルダ本体９ａと、同ホルダ本体９ａの径方向においてヨークハウジング４の外側に配置された給電部９ｂと、フランジ部４ａに沿って延びるこれらホルダ本体９ａ及び給電部９ｂを連結する連結部９ｃとが一体で形成されている。
【００２６】
上記ホルダ本体９ａのヨークハウジング４内部側には給電部９ｂと図示しない配線で接続された一対のブラシ１０が配設されている。このブラシ１０は、上記コンミテータ８に対応した位置に配置されて同コンミテータ８と接触している。従って、外部電源から給電部９ｂに電流が供給されると、上記ブラシ１０及びコンミテータ８を介してアーマチャ７に巻装したコイル導線に電流が供給され、同アーマチャ７、すなわちモータ本体２の回転軸６が回転駆動される。なお、ホルダ本体９ａの略中央には軸受１１が設けられ、その軸受１１によって上記回転軸６の先端側が回転可能に支持されている。
【００２７】
また、上記ホルダ本体９ａの減速部３側（図１の下側）には、一対の第１係合凸部１２，１３が設けられている。第１係合凸部１２，１３は回転軸６と平行に延出している。図２（ｃ）に示されるように、両第１係合凸部１２，１３は、回転軸６の挿通位置を挟んで平行に形成されている。
【００２８】
一方、上記給電部９ｂは、一側（図１の下側）に開口する略有底箱状に形成されており、その底部からは、複数（６本）の給電端子１４が突出している。
ここで、上記ブラシホルダ９は、上記ホルダ本体９ａ、給電部９ｂ及び連結部９ｃの外部形状の基体を形成する、例えば樹脂製の外形部１６と、同外形部１６の外周面等を覆う、例えばゴム、エラストマ又は粘性樹脂にて成形されたシール部材１７とを有している。なお、これら外形部１６及びシール部材１７は、例えば２色成形にて一体形成されている。
【００２９】
ブラシホルダ９におけるホルダ本体９ａの外形部１６は、図２（ｃ）の破線で示されるように、その外周部、即ち前記ヨークハウジング４及び後述するギヤハウジング２１の両開口部間に介在される部位にフランジ状の埋設部１６ａを備えている。又、給電部９ｂの外形部１６は、その外周部にフランジ状の埋設部１６ｂを備えている。この埋設部１６ｂは、上記埋設部１６ａと略同一平面上に形成されている。これら各埋設部１６ａ，１６ｂには、それぞれ周方向に複数の切欠き１６ｃ，１６ｄが略等間隔に形成されている。各切欠き１６ｃ，１６ｄは、埋設部１６ａ，１６ｂの外周縁から内側に切り欠かれており、外側（開口）が幅狭に形成されている。
【００３０】
一方、シール部材１７は、上記ヨークハウジング４及び後述するギヤハウジング２１の開口部を封止するように上記ホルダ本体９ａの外周側、即ち上記埋設部１６ａを覆う本体側外周部１７ａ、上記連結部９ｃの外壁面の全体を覆う覆設部１７ｂ、上記給電部９ｂの外周側、即ち給電端子１４の基端側と反対側まで達するように上記埋設部１６ｂを覆う給電側外周部１７ｃ、及び給電端子１４の基端側を覆う給電側基端部１７ｄを有している。シール部材１７のこれら本体側外周部１７ａ、覆設部１７ｂ、給電側外周部１７ｃ及び給電側基端部１７ｄは連続して一体的に形成されている。この場合、本体側外周部１７ａと給電側外周部１７ｃは、埋設部１６ａ，１６ｂを埋設するとともに該埋設部１６ａ，１６ｂに設けた各切欠き１６ｃ，１６ｄの開口が幅狭となっているので、該切欠き１６ｃ，１６ｄ内に充填されたシール部材１７が外側に抜け難くなり、外形部１６から確実に外れないようになっている。又、これにより、給電側外周部１７ｃに連続して設けられる給電側基端部１７ｄも、外形部１６から確実に外れなくなる。なお、例えば本体側外周部１７ａ及び覆設部１７ｂと、給電側外周部１７ｃ及び給電側基端部１７ｄとを連続しないで形成するようにしてもよい。
【００３１】
このようなブラシホルダ９（本体側外周部１７ａ）がヨークハウジング４の開口部に嵌合固定されることで、前記ヨークハウジング４の内部に対する防水が図られている。また、上記給電側基端部１７ｄが給電端子１４の基端部１４ａに対応してその基端側を覆うことで、同給電端子１４や給電部９ｂの内部に対する防水と各給電端子１４間の互いの絶縁が図られている。さらに、上記覆設部１７ｂが連結部９ｃの外壁面の全体を覆うことで、同連結部９ｃを介した不測の浸水等も防止されている。
【００３２】
前記減速部３は、ギヤハウジング２１と、第１及び第２軸受２２ａ，２２ｂと、ウォーム軸２３と、ウォームホイール２４と、出力軸２５とを備えている。ギヤハウジング２１は、樹脂製であって、その上端部（図１の上側端部）が前記ヨークハウジング４及びブラシホルダ９に対して固定される。
【００３３】
詳述すると、ギヤハウジング２１の上端部（図１の上側端部）中央には、開口部としての開口凹部２１ａが形成されており、同開口凹部２１ａの底部には、前記第１係合凸部１２，１３に対応して一対の第２係合凸部２６，２７が設けられている。両第２係合凸部２６，２７は、前記第１係合凸部１２，１３に対応して回転軸６の軸方向に平行に延出している。また、上記ギヤハウジング２１の上端部には、ブラシホルダ９を挟んでヨークハウジング４の一方の貫通孔４ｂに嵌挿される嵌挿凸部２１ｃと、ヨークハウジング４の他方の貫通孔４ｃに嵌挿される嵌挿凸部２１ｄが形成されている。このギヤハウジング２１は、上記第１係合凸部１２，１３と第２係合凸部２６，２７とが係合されて所定の組み付け位置へと案内され、貫通孔４ｂ，４ｃに嵌挿凸部２１ｃ，２１ｄが挿通されて、上記ブラシホルダ９及びヨークハウジング４に対して固定される。なおこのとき、上記ギヤハウジング２１の開口凹部２１ａの周縁部が上記シール部材１７の本体側外周部１７ａに当接するようになっている。これにより、ギヤハウジング２１の開口凹部２１ａ（ギヤハウジング２１）の内部に対する防水が図られている。
【００３４】
上記ギヤハウジング２１には、開口凹部２１ａの底部中央から凹設したクラッチ収容凹部２１ｅ、同クラッチ収容凹部２１ｅの底部中央から回転軸６の軸線方向に沿って延びるように凹設したウォーム軸収容凹部２１ｆが形成されている。又、ギヤハウジング２１には、ウォーム軸収容凹部２１ｆの中間部の軸線直交方向（図１の右方向）に同ウォーム軸収容凹部２１ｆと連通するホイール収容部２１ｇが形成されている。
【００３５】
第１及び第２軸受２２ａ，２２ｂは、略円筒形状のすべり軸受であって、それぞれウォーム軸収容凹部２１ｆの一側及び他側（図１の上側及び下側）に内嵌されている。
【００３６】
ウォーム軸２３は、その中間部にウォーム２３ａが形成され、その両端部で第１及び第２軸受２２ａ，２２ｂに回転可能に支持されてウォーム軸収容凹部２１ｆ内に収容されている。
【００３７】
ウォームホイール２４は、ウォーム２３ａと噛合され、ウォーム軸２３と直交する方向（図１の紙面直交方向）の軸中心で回転可能にホイール収容部２１ｇ内に収容されている。そして、出力軸２５は、ウォームホイール２４の回転に伴って同軸で回転するように該ウォームホイール２４に連結されている。
【００３８】
前記回転軸６は、クラッチ３０を介してウォーム軸２３に連結されている。このクラッチ３０は、回転軸６からウォーム軸２３に回転を伝達するとともに、同ウォーム軸２３から同回転軸６への回転伝達を阻止するものである。
【００３９】
以上の構成を有するモータ１は、外部電源から給電部９ｂに電流が供給されると、上記ブラシ１０及びコンミテータ８を介してアーマチャ７に巻装したコイル導線に電流が供給され、回転軸６が回転駆動される。この回転軸６の回転は、クラッチ３０、ウォーム軸２３及びウォームホイール２４を介して出力軸２５に伝達される。一方、出力軸２５（負荷）からの回転は、上記クラッチ３０において回転軸６側に伝達されるのを阻止され、その逆回転が防止されている。
【００４０】
以上詳述したように、本実施形態によれば、以下に示す効果が得られるようになる。
（１）本実施形態では、ブラシホルダ９のホルダ本体９ａとヨークハウジング４の開口部及びギヤハウジング２１の開口凹部２１ａとの当接部、並びに上記給電端子１４の基端部は、連続するシール部材１７にて成形されている。従って、上記シール部材１７によって、ヨークハウジング４の内部、ギヤハウジング２１の内部、及び給電端子１４の基端部から同給電端子１４や給電部９ｂの内部への浸水を防止することができる。そして、各給電端子１４間の互いの絶縁も図ることができる。特に、連結部９ｃに覆設部１７ｂが設けられていることで、全体としてのシール性も向上することができる。
【００４１】
（２）本実施形態では、ブラシホルダ９の外形部１６及びシール部材１７を２色成形にて形成した。従って、シール部材１７を外形部１６に対して緊密に形成し、そのシール性を向上することができる。また、外形部１６及びシール部材１７からなるブラシホルダ９が２色成形にて一体とされることで、部品点数及び組み付け工数を低減することができる。
【００４２】
（３）本実施形態では、シール部材１７の本体側外周部１７ａと給電側外周部１７ｃには、外形部１６に設けた埋設部１６ａ，１６ｂが埋設される。そのため、シール部材１７の本体側外周部１７ａと給電側外周部１７ｃが外形部１６から外れ難い。しかも、埋設部１６ａ，１６ｂには開口が幅狭の各切欠き１６ｃ，１６ｄが設けられるので、該切欠き１６ｃ，１６ｄ内に充填されたシール部材１７が抜け出す方向において係合し、抜け難くなる。そのため、シール部材１７の本体側外周部１７ａと給電側外周部１７ｃを外形部１６からより外れ難い構造とすることができる。又、給電側外周部１７ｃは給電端子１４の基端側と反対側まで達するように埋設部１６ｂを覆ったので、給電側基端部１７ｄに応力がかかっても埋設部１６ｂから給電側外周部１７ｃが外れ難くなる。これにより、給電側外周部１７ｃに連続して設けられる給電側基端部１７ｄも外形部１６から確実に外れなくなるので、給電端子１４の基端側を確実に防水構造とすることができる。
【００４３】
（４）本実施形態では、ブラシホルダ９を、ゴム、エラストマ若しくは粘性樹脂製のシール部材１７を介してヨークハウジング４及びギヤハウジング２１間に設けたため、モータ作動時の振動を吸収し低騒音化を図ることができる。
【００４４】
（５）本実施形態では、ブラシホルダ９に第１係合凸部１２，１３を設け、ギヤハウジング２１に同第１係合凸部１２，１３に係合されて同ギヤハウジング２１を所定の組み付け位置へと案内する第２係合凸部２６，２７を設けた。従って、第１係合凸部１２，１３に第２係合凸部２６，２７を係合させてギヤハウジング２１を上記組み付け位置へと円滑に案内することができる。
【００４５】
（６）本実施形態では、回転軸６とウォーム軸２３との間にクラッチ３０を設けた。従って、回転軸６からウォーム軸２３に回転を伝達し、ウォーム軸２３（負荷）から回転軸６への回転伝達を阻止することができる。
【００４６】
なお、本発明の実施の形態は上記実施形態に限定されるものではなく、次のように変更してもよい。
・前記実施形態においては、回転軸６とウォーム軸２３との間にクラッチ３０を設けたが、これら回転軸６及びウォーム軸２３を直結してもよい。なおこの場合、これら回転軸６及びウォーム軸２３を一体形成してもよい。
【００４７】
・前記実施形態におけるブラシホルダ９の基体となる外形部１６には、シール部材１７に埋設される埋設部１６ａ，１６ｂを設けたが、その埋設部１６ａ，１６ｂの形状はこれに限定されるものではない。又、埋設部１６ａ，１６ｂにおいてシール部材１７の抜け出す方向に係合する係合部として切欠き１６ｃ，１６ｄを形成したが、これに限定されるものではなく、埋設部１６ａ，１６ｂの表裏を貫通する孔や、突起等であってもよい。又、切欠き１６ｃ，１６ｄの位置もこの限りでない。又、切欠き１６ｃ，１６ｄを省略してもよい。
【００４８】
・前記実施形態におけるブラシホルダ９のシール部材１７は、シール性を有するのであればその他の材料にて成形してもよい。
・前記実施形態においては、ブラシホルダ９の外形部１６及びシール部材１７を２色成形にて形成したが、例えば外形部１６に別途、シール部材を装着するような構造を採用してもよい。
【００４９】
・前記実施形態においては、ギヤハウジング２１の開口凹部２１ａにおいて、ウォーム軸収容凹部２１ｆを形成したが、同開口凹部２１ａそのものをウォーム軸収容凹部２１ｆとして形成してもよい。
【００５０】
次に、以上の実施形態から把握することができる技術的思想を、その効果とともに以下に記載する。
（イ）前記ブラシホルダ（９）は第１係合凸部（１２，１３）を有し、前記ギヤハウジング（２１）は、前記第１係合凸部（１２，１３）に係合されて該ギヤハウジング（２１）を組み付け位置へと案内する第２係合凸部（２６，２７）を有する。同構成によれば、ギヤハウジングは、前記第１係合凸部に第２係合凸部が係合されて組み付け位置へと円滑に案内される。
【００５１】
（ロ）前記回転軸（６）とウォーム軸（２３）との間に、該回転軸（６）から該ウォーム軸（２３）に回転を伝達するとともに、該ウォーム軸（２３）から該回転軸（６）への回転伝達を阻止するクラッチ（３０）を設けた。同構成によれば、回転軸からウォーム軸に回転が伝達され、ウォーム軸から回転軸への回転伝達は阻止される。
【００５２】
【発明の効果】
以上詳述したように、請求項１〜７に記載の発明によれば、ヨークハウジング及びギヤハウジングの内部、給電端子や給電部の内部への浸水を防止することができる。また、モータ作動時の振動を吸収して低騒音化を図ることができる。
【００５３】
請求項３に記載の発明によれば、上記効果に加えて、シール部材を外形部に対して緊密に形成し、そのシール性を向上することができる。また、外形部及びシール部材からなるブラシホルダを、２色成形にて一体とすることで、部品点数及び組み付け工数を低減することができる。
【００５４】
請求項４，５に記載の発明によれば、上記効果に加えて、シール部材が外形部から外れ難い構造とすることができる。
請求項７に記載の発明によれば、上記効果に加えて、回転軸からウォーム軸に回転が伝達され、ウォーム軸から回転軸への回転伝達は阻止される。
【図面の簡単な説明】
【図１】本発明の一実施形態を示す断面図。
【図２】同実施形態のブラシホルダを示す背面図、断面図及び正面図。
【符号の説明】
４…ヨークハウジング、６…回転軸、９…ブラシホルダ、９ａ…ホルダ本体、９ｂ…給電部、１０…ブラシ、１４…給電端子、１４ａ…基端部、１６…外形部、１６ａ…本体側埋設部としての埋設部、１６ｂ…給電部側埋設部としての埋設部、１６ｃ，１６ｄ…係合部としての切欠き、１７…シール部材、２１…ギヤハウジング、２１ａ…開口部としての開口凹部。
【図１】
0003808717.tif 000002
【図２】
0003808717.tif 000003